(57)【要約】【課題】受信した画像データを保存するか否かの選択をすることができる表示装置、及びデータ送信システムを提供する。【解決手段】画像データ保存処理が実行されると、ＲＡＭの画像データ領域に記憶されている画像データがＥＥＰＲＯＭの画像データ記憶エリアに保存可能か否かが判断される（Ｓ２１）。保存可能と判断された場合（Ｓ２１：ＹＥＳ）、画像データがＥＥＰＲＯＭの画像データ記憶エリアに保存される（Ｓ２２）。そして、ＲＡＭの画像データ領域に記憶されている画像データが、表示部に表示される（Ｓ２３）。画像データが保存不可能と判断された場合（Ｓ２１：ＮＯ）、Ｓ２３へ移行する。そして、画像データ領域が解放され、ＲＡＭに記憶された画像データが削除される（Ｓ２４）。また、削除される画像データに対応づけられた記憶指示情報も削除される。そして、画像データ保存処理が終了する。【選択図】図７
2010185990.tif 000002
【特許請求の範囲】
【請求項１】
電力の供給が断たれても情報の表示を保持する不揮発性表示手段を備えた表示装置において、
前記不揮発性表示手段に表示させるデータを受信するデータ受信手段と、
前記データ受信手段により受信した前記データを記憶する揮発性のデータ記憶手段と、
前記データを電源切断後も記憶可能な不揮発性の不揮発性記憶手段と、
前記データ記憶手段に記憶された前記データを前記不揮発性表示手段に表示させる表示制御手段と、
前記データ記憶手段に記憶された前記データを、前記不揮発性記憶手段に記憶させるか否かを判断する記憶判断手段と、
前記記憶判断手段にて前記データを前記不揮発性記憶手段に記憶させると判断された場合、前記データ記憶手段に記憶された前記データを前記不揮発性記憶手段に記憶させる記憶制御手段とを備えたことを特徴とする表示装置。
【請求項２】
前記データに対応する記憶指示情報を受信する記憶指示情報受信手段と、
前記記憶指示情報受信手段にて前記記憶指示情報を受信したか否かを判断する受信判断手段を備え、
前記記憶判断手段は、前記受信判断手段により前記記憶指示情報が受信されたと判断された場合、前記記憶指示情報に基づいて、前記データ記憶手段に記憶された前記データを前記不揮発性記憶手段に記憶させるか否かを判断することを特徴とする請求項１に記載の表示装置。
【請求項３】
前記データを前記不揮発性記憶手段に記憶するか否かを判断するためのあらかじめ定められた基準である判断基準を設定する判断基準設定手段を備え、
前記記憶判断手段は、前記判断基準設定手段により設定された前記判断基準に基づいて前記データを前記不揮発性記憶手段に記憶させるか否かを判断することを特徴とする請求項１又は２に記載の表示装置。
【請求項４】
前記データ受信手段により受信した前記データを、前記不揮発性保存手段に記憶させるための指示をする指示手段と、
前記指示手段による指示入力を促す報知手段と、
前記報知手段により報知が行われた後に、前記指示手段により指示がされたか否かを判断する指示判断手段とを備え、
前記記憶制御手段は、前記指示判断手段により前記指示手段にて前記不揮発性保存手段に記憶させるための指示がされたと判断された場合、前記データ記憶手段に記憶された前記データを、前記不揮発性記憶手段に記憶させることを特徴とする請求項１乃至３のいずれかに記載の表示装置。
【請求項５】
請求項２乃至４のいずれかに記載の表示装置と、当該表示装置の前記不揮発性表示手段に表示させるデータを前記表示装置に送信するデータ送信手段を備えたクライアント端末とから構成されたデータ送信システムであって、
前記クライアント端末は、
前記データ送信手段により送信される前記データを前記表示装置の前記不揮発性記憶手段への前記データの記憶に関する情報である記憶指示情報を入力する入力手段と、
前記入力手段により前記記憶指示情報が入力されたか否かを判断する入力判断手段とを備え、
前記データ送信手段は、前記入力判断手段により前記記憶指示情報が入力されたと判断された場合、前記記憶指示情報を前記データに対応づけて前記表示装置に送信することを特徴とするデータ送信システム。
【請求項６】
前記クライアント端末は、前記データ送信手段により送信される前記データが、第一画像データと、当該第一画像データを拡大した画像のデータである第二画像データとを含むか否かを判断する画像データ判断手段と、
前記入力手段にて入力された前記記憶指示情報が、前記データを前記不揮発性記憶手段に記憶させない旨の情報であるか否かを判断する記憶指示情報判断手段とを備え、
前記画像データ判断手段にて前記データが前記第一画像データと前記第二画像データとを含むデータであると判断され、且つ前記記憶指示情報判断手段にて前記記憶指示情報が、前記データを前記不揮発性記憶手段に記憶させない旨の情報であると判断された場合、前記データ送信手段は、前記データに替えて前記第一画像データのみを送信することを特徴とする請求項５に記載のデータ送信システム。
【発明の詳細な説明】
【技術分野】
【０００１】
本発明は、表示装置、及びデータ送信システムに関するものであり、詳細には、受信した画像データを保存するか否かの選択をすることができる表示装置、及びデータ送信システムに関するものである。
【背景技術】
【０００２】
従来、文書管理サーバからイメージデータを受信し、不揮発性の表示部に表示する画像表示装置が知られている（例えば、特許文献１参照）。この特許文献１に記載の画像表示装置では、ネットワークを介して画像装置からの要求を受けた文書管理サーバが、画像装置にその要求に応じたイメージデータを受信する。そして、受信したイメージデータを表示部に表示させた後は、イメージデータをバッファメモリより削除する。これにより、機密情報であるイメージデータの漏えいを防ぐことができる。
【先行技術文献】
【特許文献】
【０００３】
【特許文献１】特開２００８−１３４４１８号公報
【発明の概要】
【発明が解決しようとする課題】
【０００４】
しかしながら、特許文献１に記載の発明の画像表示装置では、受信したイメージデータは、表示後にバッファメモリより削除されるため、必要であるイメージデータを保存するか否かの選択をすることができないという問題点があった。
【０００５】
そこで、本発明は、上述した問題を解決するためになされたものであり、受信した画像データに応じて、不揮発性記憶手段に保存するか否かを決定して制御することができる表示装置、及びデータ送信システムを提供することを目的とする。
【課題を解決するための手段】
【０００６】
上記目的を達成するために、請求項１に係る発明の表示装置は、電力の供給が断たれても情報の表示を保持する不揮発性表示手段を備えた表示装置において、前記不揮発性表示手段に表示させるデータを受信するデータ受信手段と、前記データ受信手段により受信した前記データを記憶する揮発性のデータ記憶手段と、前記データを電源切断後も記憶可能な不揮発性の不揮発性記憶手段と、前記データ記憶手段に記憶された前記データを前記不揮発性表示手段に表示させる表示制御手段と、前記データ記憶手段に記憶された前記データを、前記不揮発性記憶手段に記憶させるか否かを判断する記憶判断手段と、前記記憶判断手段にて前記データを前記不揮発性記憶手段に記憶させると判断された場合、前記データ記憶手段に記憶された前記データを前記不揮発性記憶手段に記憶させる記憶制御手段とを備えている。
【０００７】
また、請求項２に係る発明の表示装置は、請求項１に記載の発明の構成に加え、前記データに対応する記憶指示情報を受信する記憶指示情報受信手段と、前記記憶指示情報受信手段にて前記記憶指示情報を受信したか否かを判断する受信判断手段を備え、前記記憶判断手段は、前記受信判断手段により前記記憶指示情報が受信されたと判断された場合、前記記憶指示情報に基づいて、前記データ記憶手段に記憶された前記データを前記不揮発性記憶手段に記憶させるか否かを判断することを特徴とする。
【０００８】
また、請求項３に係る発明の表示装置は、請求項１又は２に記載の発明の構成に加え、前記データを前記不揮発性記憶手段に記憶するか否かを判断するためのあらかじめ定められた基準である判断基準を設定する判断基準設定手段を備え、前記記憶判断手段は、前記判断基準設定手段により設定された前記判断基準に基づいて前記データを前記不揮発性記憶手段に記憶させるか否かを判断することを特徴とする。
【０００９】
また、請求項４に係る発明の表示装置は、請求項１乃至３のいずれかに記載の発明の構成に加え、前記データ受信手段により受信した前記データを、前記不揮発性保存手段に記憶させるための指示をする指示手段と、前記指示手段による指示入力を促す報知手段と、前記報知手段により報知が行われた後に、前記指示手段により指示がされたか否かを判断する指示判断手段とを備え、前記記憶制御手段は、前記指示判断手段により前記指示手段にて前記不揮発性保存手段に記憶させるための指示がされたと判断された場合、前記データ記憶手段に記憶された前記データを、前記不揮発性記憶手段に記憶させることを特徴とする。
【００１０】
また、請求項５に係る発明のデータ送信システムは、請求項２乃至４のいずれかに記載の表示装置と、当該表示装置の前記不揮発性表示手段に表示させるデータを前記表示装置に送信するデータ送信手段を備えたクライアント端末とから構成されたデータ送信システムであって、前記クライアント端末は、前記データ送信手段により送信される前記データを前記表示装置の前記不揮発性記憶手段への前記データの記憶に関する情報である記憶指示情報を入力する入力手段と、前記入力手段により前記記憶指示情報が入力されたか否かを判断する入力判断手段とを備え、前記データ送信手段は、前記入力判断手段により前記記憶指示情報が入力されたと判断された場合、前記記憶指示情報を前記データに対応づけて前記表示装置に送信することを特徴とする。
【００１１】
また、請求項６に係る発明のデータ送信システムは、請求項５に記載の発明の構成に加え、前記クライアント端末は、前記データ送信手段により送信される前記データが、第一画像データと、当該第一画像データを拡大した画像のデータである第二画像データとを含むか否かを判断する画像データ判断手段と、前記入力手段にて入力された前記記憶指示情報が、前記データを前記不揮発性記憶手段に記憶させない旨の情報であるか否かを判断する記憶指示情報判断手段とを備え、前記画像データ判断手段にて前記データが前記第一画像データと前記第二画像データとを含むデータであると判断され、且つ前記記憶指示情報判断手段にて前記記憶指示情報が、前記データを前記不揮発性記憶手段に記憶させない旨の情報であると判断された場合、前記データ送信手段は、前記データに替えて前記第一画像データのみを送信することを特徴とする。
【発明の効果】
【００１２】
請求項１に係る発明の表示装置では、データ受信手段にて受信したデータを揮発性のデータ記憶手段に記憶し、表示制御手段によって電力の供給が断たれても情報の表示を保持する不揮発性表示手段に表示される。そして、記憶判断手段にて不揮発性の不揮発性記憶手段に記憶するか否かが判断される。記憶判断手段にて不揮発性記憶手段に記憶すると判断された場合、記憶制御手段によってデータが不揮発性記憶手段に記憶される。これにより、データに対応づけられた記憶指示情報の内容で、データを不揮発性記憶手段に記憶させるか否かを決定できる。その結果、例えば、データを不揮発性記憶手段に記憶させるか、表示装置の不揮発性表示手段でデータを確認するだけかを選択することが可能となる。そして、受信したデータをユーザが再利用しないようにすることなどもできる。
【００１３】
また、請求項２に係る発明の表示装置では、請求項１に記載の発明の効果に加え、データに対応づけられた記憶指示情報を受信する記憶指示情報受信手段を備えている。また、記憶指示情報を記憶指示情報受信手段にて受信したか否かを判断する受信判断手段を備えている。そして、受信判断手段にて記憶指示情報を受信したと判断され、記憶判断手段にて不揮発性記憶手段に記憶させると判断された場合、記憶制御手段によってデータが不揮発性記憶手段に記憶される。これにより、送信されたデータに対応づけられた記憶指示情報に基づいて、受信したデータを不揮発性表示手段に記憶するか否かの判断をすることができる。その結果、例えば、不揮発性記憶手段に記憶させたくないデータに対して、受信したデータをユーザが再利用できないように制限を付け、表示装置の不揮発性表示手段でデータを確認させることだけを可能にできる。そして、受信したデータをユーザが再利用しないようにできる。
【００１４】
また、請求項３に係る発明の表示装置では、請求項１又は２に記載の発明の効果に加え、判断基準設定手段にて、データを不揮発性記憶手段に記憶するか否かを判断するための基準である判断基準に基づいて記憶指示情報を設定できる。そして、記憶判断手段は設定された判断基準に基づいて、データ記憶手段に記憶されたデータを、不揮発性記憶手段に記憶させるか否かを判断する。記憶判断手段にてデータを不揮発性記憶手段に記憶させると判断された場合、記憶制御手段にてデータが不揮発性記憶手段に記憶される。これにより、予め設定された判断基準で記憶させるか否かが判断でき、表示装置に不必要なデータを記憶させることがなくなる。その結果、不揮発性記憶手段の使用量を抑えることができる。
【００１５】
また、請求項４に係る発明の表示装置では、請求項１乃至３のいずれかに記載の発明の効果に加え、受信したデータを不揮発性記憶手段に記憶させるための指示をする指示手段が、指示されたか否かを判断する指示判断手段を備えている。そして、指示判断手段にて指示されたと判断された場合、データ記憶手段に記憶されたデータが記憶制御手段にて不揮発性記憶手段に記憶される。これにより、表示装置を使用するユーザは、指示手段によって不揮発性表示手段にデータを記憶させるか否かを指示することができる。その結果、表示装置に不必要なデータを記憶させることがなくなり、不揮発性記憶手段の使用量を抑えることができる。
【００１６】
また、請求項５に係る発明のデータ送信システムでは、表示装置と、表示装置にデータを送信するクライアント端末とか構成されている。クライアント端末は、入力手段により指示情報が入力されたか否かを判断する入力判断手段を備え、入力判断手段にて指示情報が入力された場合、不揮発性記憶手段に記憶させる旨を示す指示情報をデータに対応づけて表示装置にデータを送信する。これにより、データを送信する側であるクライアント端末を使用するユーザが、表示装置の不揮発性記憶手段に記憶させるデータか否かを決定して、表示装置にデータとそのデータに対応付けられた記憶指示情報を送信することができる。その結果、表示装置の不揮発性記憶手段に記憶させたくないデータに対しては、確実にデータの再利用を防ぐことができる。
【００１７】
また、請求項６に係る発明のデータ送信システムでは、請求項５に記載の発明の効果に加え、クライアント端末は、データ送信手段にて送信されるデータが第一画像データと、第二画像データとを含んでいるか否かを判断する画像データ判断手段を備えている。また、入力手段にて入力された記憶指示情報が、データを不揮発性記憶手段に記憶させない旨の情報であるか否かを判断する記憶指示情報判断手段を備えている。そして、データ送信手段は、前記第一画像データと前記第二画像データとを含むデータであり、且つ前記記憶指示情報が、データを前記不揮発性記憶手段に記憶させない旨の情報である場合、第一画像データのみを送信する。これにより、データを受信する側である表示装置は、不揮発性記憶手段に記憶しないデータに対しては、拡大された第二画像データを受信しないで済む。その結果、表示装置のデータ記憶手段の使用量を抑えることができるとともに、データの送信速度を速くすることができる。
【図面の簡単な説明】
【００１８】
【図１】表示装置１００及びクライアント端末２００の接続形態の一例を示す図である。
【図２】表示装置１００の電気的構成を示すブロック図である。
【図３】表示装置１００のＥＲＲＰＲＯＭ１０４の構成を示す模式図である。
【図４】クライアント端末２００の電気的構成を示すブロック図である。
【図５】クライアント端末２００のＨＤＤ２０４の構成を示す模式図である。
【図６】表示装置１００のメイン処理のフローチャートである。
【図７】表示装置１００で実行される画像データ保存処理のサブルーチンのフローチャートである。
【図８】クライアント端末２００で実行される画像データ送信処理のサブルーチンのフローチャートである。
【図９】クライアント端末２００で表示される送信画面３００の一具体例を示す図である。
【図１０】第一変形例における表示装置１００のメイン処理のフローチャートである。
【図１１】第一変形例における表示装置１００の画像データ保存処理のサブルーチンのフローチャートである。
【図１２】第二変形例における表示装置１００の画像データ保存処理のサブルーチンのフローチャートである。
【発明を実施するための形態】
【００１９】
以下、本発明を具現化した一実施形態について、図面を参照して説明する。なお、参照する図面は、本発明が採用しうる技術的特徴を説明するために用いられるものであり、記載されている装置の構成、各種処理のフローチャートなどは、それのみに限定する趣旨ではなく、単なる説明例である。
【００２０】
まず、図１〜図５を参照して、本実施形態に係るデータ送信システム１の全体構成、ならびに、データ送信システム１の構成要素である表示装置１００、及びクライアント端末２００の構成について、順に説明する。
【００２１】
最初に、図１を参照して、データ送信システム１の全体構成の概略を説明する。図１に示すように、データ送信システム１は、表示装置１００、及びクライアント端末２００を含んでいる。クライアント端末２００は、例えば、周知のパーソナルコンピュータ等の汎用型の装置であり、表示装置１００に送信するデータ等を保持、管理する。表示装置１００は、例えば、携帯電話、電子ブック、ＰＤＡ、電気泳動表示装置等の持ち運び可能な装置であり、電力の供給が断たれても情報の表示を保持する不揮発性の表示部を備えた装置である。そして、表示装置１００とクライアント端末２００とは、無線ＬＡＮ等のネットワーク３を介してデータ通信が可能となっている。本実施の形態において、表示装置１００は、不揮発性の表示部で表示するデータとして、クライアント端末２００から画像データを受信するものとする。ここで、クライアント端末２００から送信される画像データとして、表示装置１００で表示される通常のサイズの画像データ（以下、「通常画像データ」という。）と、通常画像データが拡大されたサイズの画像データ（以下、「拡大画像データ」という。）とが其々対応づけられて、同時に送信されるものとする。また、図１では、表示装置１００は１つしか図示されていないが、実際には、例えば、会社の各個人が所有することにより、表示装置１００は複数存在してもよい。
【００２２】
次に、図２のブロック図を参照して、表示装置１００の電気的構成について説明する。図２に示すように、表示装置１００は、表示装置１００の制御を司るＣＰＵ１０１を備えている。そして、このＣＰＵ１０１には、ＲＯＭ１０２、ＲＡＭ１０３、ＥＥＰＲＯＭ１０４、無線通信制御部１０５、表示制御部１０７、入力制御部１０９、電源制御部１１１がバス１２０を介して接続されている。無線通信制御部１０５を介して無線通信部１０６が接続され、外部のネットワーク３に接続している。表示制御部１０７を介して不揮発性の表示部１０８が接続されている。入力制御部１０９を介して入力部１１０が接続されている。
【００２３】
ＲＯＭ１０２には、表示装置１００を起動させるためのプログラム等が記憶され、ＲＡＭ１０３には、各種情報等が一時的に記憶される。ＥＥＰＲＯＭ１０４には、クライアント端末２００から受信した画像データ等が記憶される。無線通信制御部１０５は、表示装置１００に送信する画像データ等を管理しているクライアント端末２００等に対しての通信を制御する。表示制御部１０７は表示部１０８に表示される文字や画像、映像、又はこれらを組み合わせた情報であるコンテンツデータ等の表示を制御する。入力制御部１０９は、ユーザによる入力を受け付けるボタンや十字キーから構成された入力部１１０からの入力を制御する。また、電源制御部１１１は、表示装置１００に接続する電池１１２、及び電源の入出力を行う電源ボタン１１３の制御を行う。
【００２４】
次に、図３を参照して、ＥＥＰＲＯＭ１０４の記憶エリアについて説明する。ＥＥＰＲＯＭ１０４には、画像データ記憶エリア１４０１、プログラム記憶エリア１４０２、及びプログラム関係情報記憶エリア１４０３が設けられている。画像データ記憶エリア１４０１には、クライアント端末２００から受信した画像データが記憶される。プログラム記憶エリア１４０２には、表示装置１００で実行される各種のプログラムが記憶される。プログラム関係情報記憶エリア１４０３には、プログラムの実行に必要な設定や初期値、データ等の情報が記憶される。
【００２５】
次に、図４のブロック図を参照して、クライアント端末２００の電気的構成について説明する。図４に示すように、クライアント端末２００は、クライアント端末２００の制御を司るＣＰＵ２０１を備えている。そして、このＣＰＵ２０１には、ＲＯＭ２０２、ＲＡＭ２０３、ハードディスクドライブ（ＨＤＤ）２０４、入力制御部２０５、出力制御部２０６、無線通信制御部２０７がバス２１０を介して接続されている。入力制御部２０５を介してキーボード２５０及びマウス２６０が接続され、出力制御部２０６を介してディスプレイ２７０が接続されている。無線通信制御部２０７は、ネットワーク３を介して無線通信を行う無線通信部２０８に接続されている。
【００２６】
ＲＯＭ２０２は、クライアント端末２００を起動させるためのＢＩＯＳのプログラム等を記憶し、ＲＡＭ２０３は各種のデータを一時的に記憶する。ＨＤＤ２０４は、表示装置１００に送信する画像データを含む各種データ、クライアント端末２００で実行される各種のプログラム等を記憶する。無線通信制御部２０７は、表示装置１００に表示させる画像データを、ネットワーク３に接続した無線通信部２０８を介して表示装置１００へ送信する制御を行う。
【００２７】
次に、図５を参照して、クライアント端末２００のＨＤＤ２０４の記憶エリアについて説明する。ＨＤＤ２０４には、データ記憶エリア２４０１、プログラム記憶エリア２４０２、及びプログラム関係情報記憶エリア２４０３等の各種記憶エリアが設けられている。データ記憶エリア２４０１には、表示装置１００へ送信するための画像データ等か記憶される。プログラム記憶エリア２４０２には、クライアント端末２００で実行される各種のプログラムが記憶される。プログラム関係情報記憶エリア２４０３には、プログラムの実行に必要な設定や初期値、データ等の情報が記憶される。
【００２８】
次に、図６、図７を参照して、表示装置１００で実行される各処理について説明する。なお、図６の表示装置１００のメイン処理は、表示装置１００の電源がＯＮ時に実行される処理である。また、表示装置１００で実行される他の処理は、別のプロセスで実行されているものとする。なお、電源がＯＦＦになると自動的にメイン処理は終了するものとする。
【００２９】
図６に示すように、表示装置１００のメイン処理が実行されると、表示装置１００の表示部１０８で表示する画像データを、クライアント端末２００から受信したか否かが判断される（Ｓ１１）。クライアント端末２００から画像データを受信していないと判断された場合（Ｓ１１：ＮＯ）、Ｓ１１へ移行する。そして、画像データをクライアント端末２００から受信するまで繰り返す。
【００３０】
クライアント端末２００から画像データを受信したと判断された場合（Ｓ１１：ＹＥＳ）、受信した画像データがＲＡＭ１０３に記憶される（Ｓ１２）。その際、ＲＡＭ１０３には、受信した画像データを記憶できるたけの領域（以下、「画像データ領域」という。）が確保され、画像データが記憶される。
【００３１】
そして、クライアント端末２００から記憶指示情報を受信したか否かが判断される（Ｓ１３）。この記憶指示情報は、クライアント端末２００から送信された画像データに対応づけられた情報であり、クライアント端末２００から受信した画像データをＥＥＰＲＯＭ１０４の画像データ記憶エリア１４０１に記憶するか否かを判断するために使用される。なお、この記憶指示情報には、画像データをＥＥＰＲＯＭ１０４に記憶する旨を示す値「１」、又は画像データをＥＥＰＲＯＭ１０４に記憶しない旨を示す値「０」が設定されている。
【００３２】
クライアント端末２００から記憶指示情報を受信したと判断されると（Ｓ１３：ＹＥＳ）、受信した記憶指示情報がＲＡＭ１０３に記憶される（Ｓ１４）。その際、ＲＡＭ１０３には、受信した記憶指示情報を記憶できるたけの領域（以下、「記憶指示情報領域」という。）が確保され、受信した画像データに対応づけられて記憶指示情報が記憶される。そして、画像データ保存処理が行われ（Ｓ１５）、Ｓ１１へ移行する。この画像データ保存処理についての詳細は後述する。
【００３３】
また、クライアント端末２００から記憶指示情報を受信せず、記憶指示情報を受信していないと判断された場合（Ｓ１３：ＮＯ）、Ｓ１５へ移行する。
【００３４】
次に、図７を参照して、画像データ保存処理について説明する。この処理は、表示装置１００のメイン処理（図６参照）より実行される処理である。画像データ保存処理が実行されると、クライアント端末２００から受信し、ＲＡＭ１０３の画像データ領域に記憶されている画像データが、ＥＥＰＲＯＭ１０４に保存可能か否かが判断される（Ｓ２１）。この判断処理は、画像データに対応づけられてＲＡＭ１０３の記憶指示情報領域に記憶されている記憶指示情報に基づいて判断される。つまり、記憶指示情報の値が「１」の場合、画像データをＥＲＲＰＲＯＭ１０４に保存可能と判断し、記憶指示情報の値が「０」の場合、画像データをＥＲＲＰＲＯＭ１０４に保存不可能と判断する。
【００３５】
ＲＡＭ１０３の画像データ領域に記憶されている画像データがＥＥＰＲＯＭ１０４に保存可能と判断された場合（Ｓ２１：ＹＥＳ）、つまり、画像データに対応づけられてＲＡＭ１０３の記憶指示情報領域に記憶されている記憶指示情報の値が「１」である場合、画像データがＥＥＰＲＯＭ１０４の画像データ記憶エリア１４０１に保存される（Ｓ２２）。そして、ＲＡＭ１０３の画像データ領域に記憶されている画像データが、表示部１０８に表示される（Ｓ２３）。その際、通常画像データが表示されるものとする。
【００３６】
また、ＲＡＭ１０３の画像データ領域に記憶されている画像データがＥＥＰＲＯＭ１０４に保存不可能と判断された場合（Ｓ２１：ＮＯ）、つまり、画像データに対応づけられてＲＡＭ１０３の記憶指示情報領域に記憶されている記憶指示情報の値が「０」であるか、記憶指示情報が対応づけられてない場合、Ｓ２３へ移行する。
【００３７】
次いで、図６のＳ１２でＲＡＭ１０３に確保された画像データ領域が解放され、ＲＡＭ１０３に記憶された画像データが削除される（Ｓ２４）。また、削除される画像データに対応づけられて、記憶指示情報がＲＡＭ１０３の記憶指示情報領域に記憶されている場合、同時に、記憶指示情報領域も解放され、ＲＡＭ１０３に記憶された記憶指示情報が削除される。そして、画像データ保存処理が終了する。
【００３８】
次に、図８、図９を参照して、クライアント端末２００で実行される画像データ送信処理について説明する。なお、図８の画像データ送信処理は、送信画面３００（図９参照）を表示するための送信画面表示ボタン（図示外）が押されることにより実行される処理である。また、クライアント端末２００で実行される他の処理についての説明は省略する。
【００３９】
送信画面表示ボタン（図示外）が押され、図８に示すように、画像データ送信処理が実行されると、送信画面３００（図９参照）が表示される（Ｓ３１）。
【００４０】
図９に示すように、送信画面３００には、送信先端末指定項目３０１，ファイル名指定項目３０２，ファイル選択ボタン３０３，データ保存チェックボックス３０４，送信ボタン３０５，及びキャンセルボタン３０６が設けられている。
【００４１】
送信先端末指定項目３０１には、画像データの送信先の表示装置１００を特定するアドレスが指定される。本実施の形態では、例えば、表示装置１００を識別するマックアドレスが指定される。また、画像データの送信先の表示装置１００を識別できればよく、ＩＰアドレス等であっても問題はない。
【００４２】
ファイル名指定項目３０２には、表示装置１００に送信する画像データのファイル名が指定される。ここで、ファイルを指定する際にファイル選択ボタン３０３を押すことで、ファイルセレクタ（図示外）を起動させ、送信する画像データのファイル名を選択することも可能である。なお、図９では、ファイル名が「ＡＡＡＡ．ｂｍｐ」のファイルが選択されたことを示している。
【００４３】
データ保存チェックボックス３０４は、表示装置１００に送信した画像データを、送信先の表示装置１００に保存させるか否かを選択する際に使用される。なお、図９では、送信した画像データを送信先の表示装置１００に保存させる旨を示している。
【００４４】
送信ボタン３０５は、ファイル名指定項目３０２で指定されたファイル名の画像データを、送信先端末指定項目３０１で指定された表示装置１００に送信するためのボタンである。キャンセルボタン３０６は、送信画面３００を閉じるためのボタンである。
【００４５】
図９に示す送信画面３００が表示されると（Ｓ３１）、表示装置１００に対して、画像データの送信指示が、クライアント端末２００のユーザから行われたか否かが判断される（Ｓ３２）。つまり、送信画面３００の送信ボタン３０５が押されたか否かが判断される。クライアント端末２００のユーザから、送信指示がなかったと判断された場合（Ｓ３２：ＮＯ）、つまり、クライアント端末２００のユーザが、送信ボタン３０５を押さなかった場合、Ｓ３２へ移行する。そして、送信ボタン３０５が押されるまで、処理を繰り返す。ここで、送信画面３００が表示されている状態で、キャンセルボタン３０６が押された場合、画像データ送信処理を終了するものとする。
【００４６】
また、画像データの送信指示が、クライアント端末２００のユーザから行われたと判断された場合（Ｓ３２：ＹＥＳ）、つまり、送信ボタン３０５が押された場合、指示情報の入力があったか否かが判断される（Ｓ３３）。この指示情報は、送信先の表示装置１００に送信した画像データを保存させるための情報である。そして、指示情報の入力があったか否かの判断処理は、送信画面３００のデータ保存チェックボックス３０４がチェックされたか否かで判断される。
【００４７】
指示情報の入力があったと判断された場合（Ｓ３３：ＹＥＳ）、表示装置１００に画像データを記憶させる旨の記憶指示情報が、送信される画像データに対応づけられる（Ｓ３４）。つまり、送信する画像データに対して、「１」の値が対応づけられる。
【００４８】
そして、画像データが、表示部１０８に表示される通常サイズの通常画像データと、拡大されたサイズの拡大画像データとを含むか否かが判断される（Ｓ３６）。
【００４９】
また、指示情報の入力がなかったと判断された場合（Ｓ３３：ＮＯ）、表示装置１００に画像データを記憶させない旨の記憶指示情報が、送信される画像データに対応づけられる（Ｓ３５）。つまり、送信する画像データに対して、「０」の値が対応づけられる。そして、Ｓ３６へ移行する。
【００５０】
画像データが通常画像データと拡大画像データとを含むと判断された場合（Ｓ３６：ＹＥＳ）、記憶指示情報が表示装置１００に画像データを記憶させない旨の情報か否かが判断される（Ｓ３７）。つまり、画像データに対して、対応づけられた値が「０」の値か否かが判断される。
【００５１】
記憶指示情報が表示装置１００に画像データを記憶させない旨の情報であると判断された場合（Ｓ３７：ＹＥＳ）、つまり、画像データに対して、対応づけられた値が「０」である場合、通常画像データのみが表示装置１００に対して送信され（Ｓ３８）、Ｓ３２へ移行する。なお、送信される通常画像データは、送信画面３００のファイル名指定項目３０２で指定された画像データの通常画像データである。また、送信先の表示装置１００は、送信画面３００の送信先端末指定項目３０１で指定された表示装置１００である。
【００５２】
記憶指示情報が表示装置１００に画像データを記憶させない旨の情報でないと判断された場合（Ｓ３７：ＮＯ）、つまり、画像データに対して、対応づけられた値が「１」である場合、通常画像データと拡大画像データとが表示装置１００に対して送信され（Ｓ３９）、Ｓ３２へ移行する。なお、送信される通常画像データ、及び拡大画像データは、送信画面３００のファイル名指定項目３０２で指定された画像データの通常画像データ、及び拡大画像データである。また、送信先の表示装置１００は、送信画面３００の送信先端末指定項目３０１で指定された表示装置１００である。
【００５３】
また、画像データが通常画像データと拡大画像データとを含まないと判断された場合（Ｓ３６：ＮＯ）、つまり、拡大画像データが存在せず通常画像データのみの場合、Ｓ３８へ移行する。
【００５４】
以上説明したように、本実施の形態では、画像データを送信するクライアント端末２００において、表示装置１００に送信する画像データを、表示装置１００に設けられている不揮発性の記憶媒体であるＥＥＰＲＯＭ１０４の画像データ記憶エリア１４０１に記憶させるか否かを送信時に決定する。そして、決定された結果に対応した記憶指示情報を、送信する画像データに対応づけて表示装置１００に送信する。表示装置１００では、クライアント端末２００から受信した画像データを不揮発性の表示部１０８に表示し、受信した画像データに対応づけられた記憶指示情報に基づいて、ＥＥＰＲＯＭ１０４の画像データ記憶エリア１４０１に記憶するか否かを判断する。そして、記憶すると判断された場合、ＥＥＰＲＯＭ１０４の画像データ記憶エリア１４０１に受信した画像データを記憶する。
【００５５】
これにより、画像データを送信する側であるクライアント端末２００を使用するユーザが、表示装置１００のＥＥＰＲＯＭ１０４に記憶させる画像データか否かを判断して、表示装置１００に画像データを送信することができる。表示装置１００では、受信した画像データを不揮発性の表示部１０８に表示させる。そして、受信した画像データに対応づけられた記憶指示情報の内容で、画像データをＥＥＰＲＯＭ１０４に記憶させるか否かを決定できる。その結果、不揮発性のＥＥＰＲＯＭ１０４に記憶させたくない画像データに対しては、表示装置１００の表示部１０８で、受信した画像データを、ユーザに対して確認することだけが可能となる。そして、受信した画像データをユーザが再利用しないようにすることなどもできる。
【００５６】
なお、上述した実施の形態における表示装置１００のＲＡＭ１０３が「データ記憶手段」に相当する。ＥＥＰＲＯＭ１０４の画像データ記憶エリア１４０１が「不揮発性記憶手段」に相当し、データ保存チェックボックス３０４が「入力手段」に相当する。無線通信部１０６及び無線通信制御部１０５が「データ受信手段」に相当する。通常画像データが「第一画像データ」に相当し、拡大画像データが「第二画像データ」に相当する。
【００５７】
また、Ｓ２３を実行するＣＰＵ１０１が「表示制御手段」に相当する。Ｓ２１を実行するＣＰＵ１０１が「記憶判断手段」に相当し、Ｓ２２を実行するＣＰＵ１０１が「記憶制御手段」に相当する。Ｓ１３を実行するＣＰＵ１０１が「受信判断手段」に相当し、Ｓ１３：ＹＥＳを実行するＣＰＵ１０１が「記憶指示情報受信手段」に相当し、Ｓ３２を実行するＣＰＵ２０１が「入力判断手段」に相当する。Ｓ３６を実行するＣＰＵ２０１が「画像データ判断手段」に相当し、Ｓ３７を実行するＣＰＵ２０１が「記憶指示情報判断手段」に相当する。Ｓ３８、Ｓ３９を実行するＣＰＵ２０１が「データ送信手段」に相当する。
【００５８】
なお、本発明は、上述した実施の形態に限定されるものではなく、本発明の要旨を脱しない範囲内において種々の変更が可能であることは無論である。以下に、変形例について説明する。
【００５９】
上述した実施の形態では、クライアント端末２００から送信された画像データをＥＥＰＲＯＭ１０４の画像データ記憶エリア１４０１に記憶するか否かを、送信された画像データに対応づけられた記憶指示情報のみで判断するが、これに限定しない。
【００６０】
たとえば、予め、記憶するか否かを判断するための判断基準を表示装置１００に設定し、この判断基準に基づいて、クライアント端末２００から受信した画像データをＥＥＰＲＯＭ１０４の画像データ記憶エリア１４０１に記憶するか否かを判断するようにしてもよい。また、この判断基準と記憶指示情報を共用しても良い。これについては、図１０、図１１を参照して説明する。なお、図１０の第一変形例における表示装置１００のメイン処理は、上述した実施の形態と同様に、表示装置１００の電源がＯＮ時に実行される処理である。また、表示装置１００で実行される他の処理は、別のプロセスで実行されているものとする。また、電源がＯＦＦになると自動的にメイン処理は終了するものとする。ここで、図１０のメイン処理のＳ４１〜Ｓ４５の処理は、上述した実施の形態のメイン処理（図６参照）のＳ１１〜Ｓ１５の処理と同様であるため、その説明を省略する。
【００６１】
図１０に示すように、第一変形例のメイン処理が実行されると、表示装置１００の表示部１０８で表示する画像データをクライアント端末２００から受信したか否かが判断される（Ｓ４１）。クライアント端末２００から画像データを受信していないと判断された場合（Ｓ４１：ＮＯ）、ユーザから判断基準情報が入力されたか否かが判断される（Ｓ４６）。この判断基準情報は、クライアント端末２００から受信した画像データをＥＥＰＲＯＭ１０４の画像データ記憶エリア１４０１に記憶するか否かを判断するためのものである。本実施の形態では、一例として、この判断基準情報は、表示装置１００の入力部１１０に備えられた判断基準情報入力ボタン（図示外）の変化状態によって入力される。ここでは、判断基準情報入力ボタンとしてトグルスイッチが用いられており、押下するたびに判断基準情報が入力され、ＯＮ状態の場合に画像データを保存し、ＯＦＦ状態の場合には画像データを保存しないものとする。なお、この実施例では、単に判断基準入力ボタンの状態変化で判断基準情報を入力したが、他の判断基準入力方法であっても問題はない。例えば、受信した画像データの容量で制限する判断基準情報や例えば「「＊．ｂｍｐ」のファイル名の画像データであれば保存する」などのようにファイル名の一部、ファイルの種類などを条件として入力できるようにしてもてもよい。また、２つ以上の判断基準情報を組み合わせてもよい。
【００６２】
判断基準情報の入力がないと判断された場合（Ｓ４６：ＮＯ）、Ｓ４１へ移行する。そして、クライアント端末２００から画像データを受信するか、判断基準情報の入力が行われるまで、Ｓ４１：ＮＯ，Ｓ４６：ＮＯの処理を繰り返す。
【００６３】
判断基準情報の入力がされた場合（Ｓ４６：ＹＥＳ）、入力された判断基準情報がＥＥＰＲＯＭ１０４の判断基準情報記憶エリア（図示外）に記憶される（Ｓ４７）。そして、Ｓ４１へ移行する。
【００６４】
次に、図１１を参照して、第一変形例の画像データ保存処理について説明する。画像データ保存処理が実行されると、クライアント端末２００から受信し、ＲＡＭ１０３の画像データ領域に記憶されている画像データが、ＥＥＰＲＯＭ１０４に保存可能か否かが判断される（Ｓ５１）。この判断処理は、画像データに対応づけられてＲＡＭ１０３の記憶指示情報領域に記憶されている記憶指示情報に基づいて判断される。つまり、記憶指示情報の値が「１」の場合、画像データをＥＲＲＰＲＯＭ１０４に保存可能と判断し、記憶指示情報の値が「０」の場合、画像データをＥＲＲＰＲＯＭ１０４に保存不可能と判断する。
【００６５】
ＲＡＭ１０３の画像データ領域に記憶されている画像データがＥＥＰＲＯＭ１０４に保存可能と判断された場合（Ｓ５１：ＹＥＳ）、つまり、画像データに対応づけられてＲＡＭ１０３の記憶指示情報領域に記憶されている記憶指示情報の値が「１」である場合、ＲＡＭ１０３の画像データ領域に記憶されている画像データが、判断基準情報に基づいてＥＲＲＰＲＯＭ１０４に保存可能か否かが判断される（Ｓ５２）。この判断基準情報は、図１０のＳ４７でＥＥＰＲＯＭ１０４の判断基準情報記憶エリア（図示外）に記憶された情報である。なお、図１０のＳ４７の処理が一度も行われていない初期状態の場合は、判断基準情報入力ボタンはＯＦＦ状態であるものとする。
【００６６】
ＲＡＭ１０３の画像データ領域に記憶されている画像データが、判断基準情報に基づいてＥＲＲＰＲＯＭ１０４に保存可能と判断された場合（Ｓ５２：ＹＥＳ）、つまり、判断基準情報入力ボタンがＯＮ状態である場合、送信された画像データはＥＥＰＲＯＭ１０４の画像データ記憶エリア１４０１に保存される（Ｓ５３）。そして、ＲＡＭ１０３の画像データ領域に記憶されている画像データが、表示部１０８に表示される（Ｓ５４）。その際、通常画像データが表示されるものとする。
【００６７】
また、ＲＡＭ１０３の画像データ領域に記憶されている画像データがＥＥＰＲＯＭ１０４に保存不可能と判断された場合（Ｓ５１：ＮＯ）、つまり、ＲＡＭ１０３の画像データ領域に記憶されている画像データに対応づけられてＲＡＭ１０３の記憶指示情報領域に記憶されている記憶指示情報の値が「０」であるか、記憶指示情報が対応づけられてない場合、Ｓ５４へ移行する。
【００６８】
また、ＲＡＭ１０３の画像データ領域に記憶されている画像データが、判断基準情報に基づいてＥＲＲＰＲＯＭ１０４に保存不可能と判断された場合（Ｓ５２：ＮＯ）、つまり、判断基準情報入力ボタンがＯＦＦ状態である場合、判断基準情報の条件を満たさない場合、Ｓ５４へ移行する。
【００６９】
そして、Ｓ５４でＲＡＭ１０３の画像データ領域に記憶されている画像データが表示部１０８に表示されると、図６のＳ１２で、ＲＡＭ１０３に確保された画像データ領域が解放され、ＲＡＭ１０３に記憶された画像データが削除される（Ｓ５５）。また、画像データに対応づけられてＲＡＭ１０３の記憶指示情報領域に記憶されている記憶指示情報も、記憶指示情報領域が解放されることで、同時に削除される。そして、画像データ保存処理が終了する。
【００７０】
以上説明したように、第一変形例では、受信した画像データを不揮発性のＥＥＰＲＯＭ１０４に記憶するか否かを判断するための情報である判断基準情報を設定できる。そして、ＲＡＭ１０４の画像データ領域に記憶されている画像データを、記憶指示情報、及び判断基準情報に基づいて、不揮発性のＥＥＰＲＯＭ１０４に記憶させると判断された場合のみ、記憶させる。これにより、予め設定された判断基準情報に基づいて画像データを記憶させるか否かを判断できるため、表示装置１００を使用しているユーザは、不必要な画像データを記憶することがなくなる。その結果、ＥＥＰＲＯＭ１０４の使用量を抑えることができる。
【００７１】
なお、上述した第一変形例における判断基準情報が「判断基準」に相当し、Ｓ４７を実行するＣＰＵ１０１が「判断基準設定手段」に相当し、Ｓ５２を実行するＣＰＵ１０１が「記憶判断手段」に相当する。そして、Ｓ５３を実行するＣＰＵ１０１が「記憶制御手段」に相当する。
【００７２】
また、例えば、クライアント端末２００から画像データを受信する毎に、表示装置１００のユーザに対して、ＥＥＰＲＯＭ１０４の画像データ記憶エリア１４０１に保存するか否かの判断を促してもよい。また、この判断基準と記憶指示情報を共用しても良い。これについては、図１２を参照して説明する。なお、表示装置１００で実行される他の処理は、上述した実施の形態と同様のため説明を省略する。この第二変形例の画像データ保存処理は、上述した実施の形態と同様に表示装置１００のメイン処理（図６参照）より実行される処理である。
【００７３】
図１２の第二変形例の画像データ保存処理が実行されると、クライアント端末２００から受信し、ＲＡＭ１０３の画像データ領域に記憶されている画像データが、ＥＥＰＲＯＭ１０４に保存可能か否かが判断される（Ｓ６１）。この判断処理は、画像データに対応づけられてＲＡＭ１０３の記憶指示情報領域に記憶されている記憶指示情報に基づいて判断される。つまり、記憶指示情報の値が「１」の場合、画像データをＥＲＲＰＲＯＭ１０４に保存可能と判断し、記憶指示情報の値が「０」の場合、画像データをＥＲＲＰＲＯＭ１０４に保存不可能と判断する。
【００７４】
ＲＡＭ１０３の画像データ領域に記憶されている画像データがＥＥＰＲＯＭ１０４に保存可能と判断された場合（Ｓ６１：ＹＥＳ）、つまり、画像データに対応づけられてＲＡＭ１０３の記憶指示情報領域に記憶されている記憶指示情報の値が「１」である場合、保存確認画面（図示外）が表示部１０８に表示される（Ｓ６２）。この保存確認画面には、「受信した画像データを保存しますか？」というメッセージが表示される。
【００７５】
そして、表示装置１００のユーザにより、受信した画像データをＥＥＰＲＯＭ１０４に保存するための保存指示が行われたか否かが判断される（Ｓ６３）。つまり、入力部１１０に設けられた承認ボタン（図示外）が押されたか否かが判断される。表示装置１００のユーザにより、保存指示が行われた場合（Ｓ６３：ＹＥＳ）、つまり、承認ボタンが押された場合、ＲＡＭ１０３の画像データ領域に記憶されている画像データがＥＥＰＲＯＭ１０４の画像データ記憶エリア１４０１に保存される（Ｓ６４）。そして、ＲＡＭ１０３の画像データ領域に記憶されている画像データが、表示部１０８に表示される（Ｓ６５）。その際、通常画像データが表示されるものとする。
【００７６】
また、ＲＡＭ１０３の画像データ領域に記憶されている画像データがＥＥＰＲＯＭ１０４に保存不可能と判断された場合（Ｓ６１：ＮＯ）、つまり、画像データに対応づけられて、ＲＡＭ１０３の記憶指示情報領域に記憶されている記憶指示情報の値が「０」であるか、記憶指示情報が対応づけられてない場合、Ｓ６５へ移行する。
【００７７】
また、ユーザにより、受信した画像データをＥＥＰＲＯＭ１０４に保存するための保存指示が行われなかった場合（Ｓ６３：ＮＯ）、つまり、入力部１１０に設けられたキャンセルボタン（図示外）が押された場合、Ｓ６５へ移行する。
【００７８】
次いで、図６のＳ１２でＲＡＭ１０３に確保された画像データ領域が解放され、ＲＡＭ１０３に記憶された画像データが削除される（Ｓ６６）。また、記憶指示情報が画像データに対応づけられてＲＡＭ１０３の記憶指示情報領域に記憶されている場合、記憶指示情報領域も解放され、ＲＡＭ１０３に記憶された記憶指示情報も同時に削除される。そして、画像データ保存処理が終了する。
【００７９】
以上説明したように、第二変形例では、表示装置１００において、記憶指示情報に基づいて、受信した画像データをＥＥＰＲＯＭ１０４に記憶させると判断された場合、保存確認画面を表示する。そして、入力部１１０の承認ボタンがユーザより押された場合、受信した画像データがＥＥＰＲＯＭ１０４に記憶される。これにより、表示装置１００を使用するユーザは、記憶指示情報に基づいてＥＥＰＲＯＭ１０４に記憶させると判断された画像データに対しても、記憶させるか否かを指示することができる。その結果、表示装置１００のＥＥＰＲＯＭ１０４に不必要な画像データを記憶させることがなくなり、ＥＥＰＲＯＭ１０４の使用量を抑えることができる。
【００８０】
なお、上述した第二変形例における入力部１１０が「指示手段」に相当し、表示部１０８が「報知手段」に相当する。Ｓ６３を実行するＣＰＵ２０１が「指示判断手段」に相当し、Ｓ６４を実行するＣＰＵ２０１が「記憶制御手段」に相当する。
【符号の説明】
【００８１】
１        データ送信システム
３        ネットワーク
１００    表示装置
１０１，２０１    ＣＰＵ
１０２，２０２    ＲＯＭ
１０３，２０３    ＲＡＭ
１０４    ＥＥＰＲＯＭ
１０７    表示制御部
１０８    表示部
１１０    入力部
１０９，２０５    入力制御部
２００    クライアント端末
２７０    ディスプレイ
３００    送信画面
３０４    データ保存チェックボックス
１４０１    画像データ記憶エリア
【図１】
2010185990.tif 000003
【図２】
2010185990.tif 000004
【図３】
2010185990.tif 000005
【図４】
2010185990.tif 000006
【図５】
2010185990.tif 000007
【図６】
2010185990.tif 000008
【図７】
2010185990.tif 000009
【図８】
2010185990.tif 000010
【図９】
2010185990.tif 000011
【図１０】
2010185990.tif 000012
【図１１】
2010185990.tif 000013
【図１２】
2010185990.tif 000014